(57)【要約】【課題】発生した異常についての修理の要否を作業員に容易に判断させることができる空気調和機を提供する。【解決手段】空気調和機では、故障に対応する保護機能の実行履歴の表示要求があれば、当該実行履歴が表示される。また、不具合に対応する保護機能の実行履歴の表示要求があれば、当該実行履歴が表示される。そして、故障と不具合の双方に対応する保護機能の実行履歴の表示要求があれば、それらの実行履歴が表示される。つまり、空気調和機では、修理を要する「故障」に対応する保護機能の実行履歴と、修理を要しない「不具合」に対応する保護機能の実行履歴とが区別されて表示される。【選択図】図６
2010101519.tif 000002
【特許請求の範囲】
【請求項１】
記憶手段と、
表示手段と、
異常発生時に、実行されると故障と判断される第１の保護機能、または、実行されても故障と判断されない第２の保護機能とを実行する実行部と、
前記第１の保護機能または前記第２の保護機能が実行されたことを前記記憶手段に記憶し、かつ、前記記憶手段に記憶された前記第１の保護機能の実行履歴と前記第２の保護機能の実行履歴とを互いに独立して抽出する制御手段とを備え、
前記制御手段は、前記記憶手段に記憶された前記第１の保護機能の実行履歴を前記表示手段に表示する第１表示モードと、前記記憶手段に記憶された前記第２の保護機能の実行履歴を前記表示手段に表示する第２表示モードとを有する、空気調和機。
【請求項２】
前記制御手段は、前記記憶手段に記憶された前記第１の保護機能の実行履歴と前記第２の保護機能とを合わせて前記表示手段に表示させる第３の表示モードをさらに有する、請求項１に記載の空気調和機。
【請求項３】
前記制御手段は、前記第３の表示モードにおいて、前記第１の保護機能の実行履歴と前記第２の保護機能の実行履歴を互いに異なる態様で前記表示手段に表示させる、請求項２に記載の空気調和機。
【請求項４】
前記制御手段は、前記第１の保護機能の実行履歴と前記第２の保護機能の実行履歴を異なる態様で前記記憶手段に記憶する、請求項１〜請求項３のいずれかに記載の空気調和機。
【発明の詳細な説明】
【技術分野】
【０００１】
本発明は、空気調和機に関し、特に、発生した異常状態についての情報を表示する空気調和機に関する。
【背景技術】
【０００２】
従来より、セパレート型空気調和機（室内機と室外機が分離して構成される空気調和機）には、故障が発生した際にその内容を記憶手段に記憶させておき、所定の操作により、リモコンや室内機本体の表示部に、過去の故障内容を表示するように構成されているものがあった。このように構成されることにより、空気調和機の点検時に、故障内容の表示を参照することによって、作業員は、故障の内容や原因を容易に判断し、的確に修理できる。
【０００３】
このような空気調和機については、たとえば、特許文献１（特開平９−１１３０１３号公報）に、空気調和機の点検・整備時に、前回の点検・整備の後に発生した故障の全てを表示する技術が開示されている。
【０００４】
また、特許文献２（特開昭６３−１８３３３４号公報）では、突発的な原因でたまたま発生した異常が故障によるものと判断されて使用性が悪くなることを回避するべく、異常が繰り返して発生（例えば４回発生した場合）したことを条件として故障と判断し、その内容を表示部に表示する技術が開示されている。
【特許文献１】特開平９−１１３０１３号公報
【特許文献２】特開昭６３−１８３３３４号公報
【発明の開示】
【発明が解決しようとする課題】
【０００５】
図７は、従来の空気調和機における、過去の故障内容が記憶手段に記憶される態様を模式的に示す図である。図７から理解されるように、従来の空気調和機では、「異常Ｂ」「異常ａ」「異常ｄ」「異常Ａ」「異常ｅ」「異常Ｄ」「異常ｃ」「異常ｂ」「異常Ｃ」の順に、発生した故障に対応する異常の内容を特定する情報が記憶されている。なお、各情報には、発生した時刻が現在に近い順に１から番号が付されている。つまり、図７に挙げられた９個の異常の中で、「異常Ｃ」に対応するものが最も先に発生し、「異常Ｂ」に対応するものが最も後に発生している。
【０００６】
そして、従来の空気調和機では、図７に示されたような異常に関する情報が記憶されている場合、所定の操作がなされることにより、図７に記憶されている順に、これらの情報が１つずつまたは一覧で表示されていた。
【０００７】
なお、空気調和機において異常とされる状態の中には、空気調和機の動作を停止させて部品の交換等の修理を待つ必要のある故障とともに、故障ではないが周囲の環境によってコンプレッサ等の各種部品を保護するために一時的に実行される制御により実現される単発的な保護機能を必要とする不具合も含まれる。故障は、部品の交換等の修理を必要とし、また、当該修理が完了するまで空気調和機の動作を停止させることが必要であるのに対し、不具合は、修理や空気調和機の動作の停止が不要な場合が多い。
【０００８】
従来の空気調和機では、点検時に、故障の内容を知るために、作業員が所定の操作を行なうことによって、図７に示されたような異常の内容が表示されていた。そして、異常の内容として、図７に示されるように故障と不具合とが混じった状態で表示されることにより、表示を見た作業員等が、最新の異常が発生するまでにどのような不具合や故障が発生していたかを遡って知ることができ、修理等の判断材料とすることができる。しかしながら、図７に示されるように故障と不具合とが混じった態様で表示されると、作業員は、本来は修理が不要な不具合に係る部品についても修理が必要であると勘違いし、無駄な修理を行なってしまうという事態が発生していた。
【０００９】
特に、温度表示のために室内機に備えられた７セグメントのＬＥＤ（Light Emitting Diode）を利用して発生した異常の内容が表示される場合、異常の内容は、故障であっても不具合であっても、その内容に従った文字や記号によって表示されていた。
【００１０】
たとえば、或る故障の内容が「１０−１」というコードに対応し、或る不具合の内容が「１３−１」というコードに対応している場合、この故障および不具合が発生したときの、図８に示される７セグメントＬＥＤ（以下、「７セグ」と略す）７０，７１を利用したこれらのコードの表示を例示する。この場合、故障の内容に対応するコードの表示は、図９（Ａ）に示されるように、７セグ７０による「１」と７セグ７１による「０」に基づく「１０」の表示と図９（Ｂ）に示されるような７セグ７０による「−」と７セグ７１による「１」に基づく「−１」の表示とが交互になされることによって行なわれる。また、不具合の内容に対応するコードの表示は、図１０（Ａ）に示されるような７セグ７０による「１」と７セグ７１による「３」に基づく「１３」の表示と、図１０（Ｂ）に示されるような７セグ７０による「−」と７セグ７１による「１」に基づく「−１」の表示とが交互になされることによって実現される。つまり、発生した異常の内容と不具合の内容とは、互いに見分けの付きにくい態様で表示される。このため、作業員が、故障を不具合と勘違いしたり不具合を故障と勘違いしたりする事態が生じていた。
【００１１】
本発明では、かかる実情に鑑み考え出されたものであり、その目的は、発生した異常についての修理の要否を作業員に容易に判断させることができる空気調和機を提供することである。
【課題を解決するための手段】
【００１２】
本発明に従った空気調和機は、記憶手段と、表示手段と、異常発生時に、実行されると故障と判断される第１の保護機能、または、実行されても故障と判断されない第２の保護機能とを実行する実行部と、前記第１の保護機能または前記第２の保護機能が実行されたことを前記記憶手段に記憶し、かつ、前記記憶手段に記憶された前記第１の保護機能の実行履歴と前記第２の保護機能の実行履歴とを互いに独立して抽出する制御手段とを備え、前記制御手段は、前記記憶手段に記憶された前記第１の保護機能の実行履歴を前記表示手段に表示する第１表示モードと、前記記憶手段に記憶された前記第２の保護機能の実行履歴を前記表示手段に表示する第２表示モードとを有する。
【００１３】
また、本発明の空気調和機では、前記制御手段は、前記記憶手段に記憶された前記第１の保護機能の実行履歴と前記第２の保護機能とを合わせて前記表示手段に表示させる第３の表示モードをさらに有することが好ましい。
【００１４】
また、本発明の空気調和機では、前記制御手段は、前記第３の表示モードにおいて、前記第１の保護機能の実行履歴と前記第２の保護機能の実行履歴を互いに異なる態様で前記表示手段に表示させることが好ましい。
【００１５】
また、本発明の空気調和機では、前記制御手段は、前記第１の保護機能の実行履歴と前記第２の保護機能の実行履歴を異なる態様で前記記憶手段に記憶することが好ましい。
【発明の効果】
【００１６】
本発明によれば、異常発生時に、実行されると故障と判断される第１の保護機能と、実行されても故障と判断されない第２の保護機能とを実行可能な空気調和機において、第１表示モードで第１の保護機能の実行履歴が表示され、そして、第２表示モードで第２の保護機能の実行履歴が表示される。つまり、本発明によれば、第１の保護機能の実行履歴と第２の保護機能の実行履歴が、別々に表示される。
【００１７】
これにより、空気調和機を検査する作業員は、保護機能の実行履歴の表示を見た際に、当該実行履歴が、故障と判断されるべき保護機能の実行履歴であるのか、故障と判断されない保護機能の実行履歴であるのかを認識できる。
【００１８】
したがって、本発明によれば、保護機能の実行履歴が表示されることにより、作業員は、空気調和機において発生した異常に対する修理の要否を容易に認識できる。
【発明を実施するための最良の形態】
【００１９】
以下、本発明に係る空気調和機の実施の形態を、図面を参照しつつ説明する。なお、各図において、同一の機能および構成を有する要素については、同じ符号を付し、その詳細な説明は繰返さない。
【００２０】
［空気調和機の構成］
図１は、本発明の空気調和機の一実施の形態であるエアコンディショナ（以下、「エアコン」と略す。）の機能ブロック図である。
【００２１】
図１を参照して、エアコン１は、室内機１００と室外機２００とを含む。
室内機１００は、当該室内機１００の動作を全体的に制御する室内機制御部１０１を備える。室内機制御部１０１は、ＣＰＵ（Central Processing Unit）を含む。また、室内機１００は、当該室内機１００の各構成要素への電源の供給を制御する電源制御部１０２を含む。
【００２２】
室内機１００は、室内（エアコン１による温度調整の対象となる空間）に風を供給するファンを回転させるファンモータ１０４と、ファンモータ１０４を駆動させるファン駆動部１０３とを含む。ファン駆動部１０３は、室内機制御部１０１によってその動作を制御される。
【００２３】
室内機１００は、ファンによって供給される風の向きを調整するフリップ（図示略）を有している。そして、室内機１００は、当該フリップの向きを変更するためのフリップモータ１０６と、当該フリップモータ１０６のその動作を制御するためのフリップ駆動部１０５を含む。フリップ駆動部１０５は、室内機制御部１０１によってその動作を制御される。
【００２４】
室内機１００は、室内に熱を供給するためのヒータ１５２と、当該ヒータ１５２を駆動するヒータ駆動部１５１とを含む。ヒータ駆動部１５１は、室内機制御部１０１によってその動作を制御される。
【００２５】
室内機１００は、各種の情報を表示するためのＬＥＤと、当該ＬＥＤ１０９の発光態様を制御するＬＥＤ制御部１０８とを含む。ＬＥＤ制御部１０８は、室内機制御部１０１にその動作を制御される。
【００２６】
室内機１００は、室外機２００との間の通信のインターフェイスとなる通信制御部１０７を含む。通信制御部１０７の動作は、室内機制御部１０１によって制御される。
【００２７】
室内機１００は、ブザー音を出力するためのブザー１４０を含む。ブザー１４０の動作は、室内機制御部１０１によって制御される。
【００２８】
室内機１００は、当該室内機１００の本体から離間した筐体によって構成されるリモートコントローラ（以下、「リモコン」と略す。）１３０との間でも通信を行なう。リモコン１３０が操作されると、当該操作に応じたデータがリモコン１３０から室内機制御部１０１に送信される。また、室内機制御部１０１から送信されたデータは、リモコン１３０で受信される。室内機制御部１０１は、リモコン１３０との間で無線通信を行なうためのインターフェイスを含む。
【００２９】
室内機１００は、室内の温度および湿度を検出するための温度センサ／湿度センサ（以下、「センサ」と略す。）１２０を含む。センサ１２０で検出された温度および湿度は、室内機制御部１０１へと送られる。室内機制御部１０１は、リモコン１３０から送信されたデータおよびセンサ１２０から送信された検出結果に基づいて、ファンモータ１０４、フリップモータ１０６およびヒータ１５２の動作態様を決定し、これに基づいて、ファン駆動部１０３、フリップ駆動部１０５およびヒータ駆動部１５１に対する制御を実行する。また、室内機制御部１０１は、記憶部１１０を含む。記憶部１１０は、後述する第１の保護機能の実行履歴を記憶する第１記憶エリア１１１と、不具合に対応する保護機能の実行履歴を記憶する第２記憶エリア１１２と、室内機制御部１０１が実行する各種プログラムや各種のデータを記憶するデータ記憶エリア１１３とを含む。
【００３０】
室外機２００は、当該室外機２００のその動作を全体的に制御する室外機制御部２０１を含む。
【００３１】
室外機２００は、図示せぬファンを回転させるファンモータ２０４と、当該ファンモータ２０４を駆動制御するファン駆動部２０３とを含む。ファン駆動部２０３の動作は、室外機制御部２０１によって制御される。
【００３２】
室外機２００は、冷媒を室内機１００と室外機２００の間で循環させるコンプレッサ２０６と、当該コンプレッサ２０６を駆動制御するコンプレッサ駆動部２０５とを含む。コンプレッサ駆動部２０５は、室外機制御部２０１によってその動作を制御される。
【００３３】
室外機２００は、当該室外機への各要素の電源供給を制御する電源制御部２０２を含む。
【００３４】
室外機２００は、室内機１００との間での情報通信のインターフェイスとなる通信制御部２０７を含む。通信制御部２０７の動作は、室外機制御部２０１によって制御される。
【００３５】
室内機制御部１０１は、センサ１２０の検出出力やリモコン１３０から送信されたデータに基づいて、ファンモータ２０４やコンプレッサ２０６の動作態様を決定する。そして、室内機制御部１０１は、決定した動作態様を特定する情報を、通信制御部１０７を介して、室外機２００へ送信する。室外機２００では、室外機制御部２０１は、室内機制御部１０１から送信された情報を、通信制御部２０７を介して受信する。そして、室外機制御部２０１は、当該受信した内容に基づいて、ファン駆動部２０３およびコンプレッサ駆動部２０５の制御態様を決定し、当該制御内容に基づいて、これらに制御のためのデータを送信する。
【００３６】
室内機制御部１０１は、ファン駆動部１０３、フリップ駆動部１０５およびヒータ駆動部１５１から送信されるデータに基づいて、これらの駆動部を構成する回路の異常や、モータの不良、ヒータの断線や電圧異常などの異常状態を検出する。また、室外機制御部２０１は、ファン駆動部２０３およびコンプレッサ駆動部２０５から送信されるデータに基づいて、これらの駆動部を構成する回路の異常や、モータやコンプレッサの動作不良などの異常の有無を検出し、異常が検出された場合には、その旨の情報を、通信制御部２０７および通信制御部１０７を介して、室内機制御部１０１へ送信する。
【００３７】
データ記憶エリア１１３には、室内機１００または室外機２００において発生した異常状態の種類に応じて実行すべき制御内容を実行するためのプログラムが記憶されている。室内機制御部１０１は、室内機１００または室外機２００において異常状態が発生した場合、当該異常状態に対応した制御内容を実行するためのプログラムをデータ記憶エリア１１３から読出し、当該プログラムを実行する。これにより、室内機１００および室外機２００では、異常状態が発生した場合、室内機制御部１０１による制御によって、当該異常状態に対応した処理が実行される。本明細書では、このように異常状態が発生した場合に、発生した異常状態に対応する制御内容が実行されることにより、当該異常状態に対応した保護機能が実行されることとなる。
【００３８】
［室内機側異常管理処理］
次に、エアコン１が室内の温度調整をするための一般的な動作を行なっているときに、室内機１００における異常状態の発生を検知しかつ発生した異常状態に対応した制御を実行するために室内機制御部１０１によって実行される処理（室内機側異常管理処理）の内容について、当該処理のフローチャートである図２を参照しつつ説明する。
【００３９】
図２を参照して、室内機側異常管理処理では、室内機制御部１０１は、まずステップＳＡ１０で、ファン駆動部１０３、フリップ駆動部１０５、ヒータ駆動部１５１、センサ１２０、リモコン１３０およびＬＥＤ制御部１０８から送信される各種のデータをチェックして、ステップＳＡ２０へ処理を進める。
【００４０】
ステップＳＡ２０では、室内機制御部１０１は、ステップＳＡ１０でチェックしたデータに基づいて、室内機１００において何らかの異常状態が発生しているか否かを判断し、発生していないと判断するとステップＳＡ１０へ処理を戻し、発生していると判断するとステップＳＡ３０へ処理を進める。
【００４１】
なお、データ記憶エリア１１３では、各種の異常状態が定義されている。データ記憶エリア１１３では、各異常状態について、室内機制御部１０１に入力されるデータの範囲やその組合せが関連付けられている。ステップＳＡ２０では、室内機制御部１０１は、ステップＳＡ１０でチェックした各種のデータが、データ記憶エリア１１３に記憶された各種の異常状態に対応するものであるか否かを判断し、対応するものであると判断すると、異常状態が発生したとして、ステップＳＡ３０へ処理を進める。
【００４２】
ステップＳＡ３０では、室内機制御部１０１は、上記した温度調整のための動作を停止させるようにファン駆動部１０３、フリップ駆動部１０５、ヒータ駆動部１５１および室外機制御部２０１に対する制御信号を出力して、ステップＳＡ４０へ処理を進める。ただし、室内機制御部１０１は、データ記憶エリア１１３に記憶された情報に基づいて、ステップＳＡ２０で発生したと判断した異常状態には温度調整のための動作の停止が不要であると判断した場合には、ステップＳＡ３０において、当該動作を停止させなくても良い。そして、当該動作を停止させなかった場合には、後述するステップＳＡ８０における当該動作の再開の処理も不要となる。
【００４３】
ステップＳＡ４０では、室内機制御部１０１は、ステップＳＡ２０で発生していると判断した異常状態に対応する保護機能（制御内容）の実行を開始して、ステップＳＡ５０へ処理を進める。
【００４４】
なお、データ記憶エリア１１３には、各異常状態が発生した場合に実行されるべき制御内容に対応したプログラムが記憶されているものとし、室内機制御部１０１は、当該プログラムを実行することにより保護機能を実行する。
【００４５】
データ記憶エリア１１３に種々の情報を記憶される異常状態は、故障と不具合とが含まれる。故障とは、当該異常状態が１回発生すれば、または、当該異常状態が所定回数（たとえば４回）繰返して発生した場合には、対応する保護機能が実行され、かつ、作業員などによって外部から運転再開のための操作がなされなければ上記した温度調整のための運転を再開しない異常状態を言う。一方、不具合とは、異常状態が発生した場合、対応する保護機能が実行された後（または、所定時間が経過した後）、室内機制御部１０１によって上記した温度調整のための運転が再開されるような異常状態である。
【００４６】
本実施の形態では、故障に対応する保護機能により、実行されると故障と判断される第１の保護機能が構成され、そして、不具合に対応する保護機能により、実行されても故障と判断されない第２の保護機能が構成される。
【００４７】
そして、ステップＳＡ５０では、室内機制御部１０１は、ステップＳＡ２０で発生したと判断した異常状態が、上記した故障に該当するものであるか、上記した不具合に該当するものであるかを判断し、故障に該当すると判断するとステップＳＡ９０へ処理を進め、不具合に該当すると判断するとステップＳＡ６０へ処理を進める。
【００４８】
なお、データ記憶エリア１１３には、各異常状態が、故障と不具合のいずれに該当するものであるかについての情報も記憶されており、室内機制御部１０１は、当該情報に基づいてステップＳＡ５０における判断を実行する。
【００４９】
ステップＳＡ６０では、室内機制御部１０１は、ステップＳＡ４０で実行を開始した保護機能を特定する情報を第２記憶エリア１１２に記録して、ステップＳＡ７０へ処理を進める。
【００５０】
ステップＳＡ７０では、室内機制御部１０１は、ステップＳＡ４０で実行を開始した保護機能が完了したか否かを判断し、完了するまで待機し、そして、完了したと判断するとステップＳＡ８０へ処理を進める。
【００５１】
ステップＳＡ８０では、室内機制御部１０１は、ステップＳＡ３０で停止させた温度調整動作の運転を再開させて、ステップＳＡ１０へ処理を戻す。
【００５２】
ステップＳＡ９０では、室内機制御部１０１は、ブザー１４０によるブザー音やＬＥＤ１０９の点灯などにより、故障が生じていることを報知して、ステップＳＡ１００へ処理を進める。
【００５３】
ステップＳＡ１００では、室内機制御部１０１は、ステップＳＡ４０で実行を開始した保護機能を特定する情報を第１記憶エリア１１１に記録して、ステップＳＡ１１０へ処理を進める。
【００５４】
ステップＳＡ１１０では、室内機制御部１０１は、ステップＳＡ４０で実行を開始した保護機能が完了するまで待機し、完了したと判断すると、室内機側異常管理処理を終了させる。なお、室内機制御部１０１は、室内機側異常管理処理を終了させるときに、ステップＳＡ９０で実行した報知動作を継続させていてもよいし、終了させてもよい。
【００５５】
以上説明した室内機側異常管理処理では、室内機１００において異常状態が発生すると、当該異常状態に対応した制御内容（保護機能）が実行される。そして、実行された保護機能を特定する情報が、記憶部１１０に記録される。なお、実行された保護機能の種別に応じて、当該保護機能を特定する情報が記録される、記憶部１１０内のエリアが異なる。具体的には、実行された保護機能が故障に対応するものであれば、第１記憶エリア１１１に上記情報が記録され（ステップＳＡ１００）、実行された保護機能が不具合に対応するものであれば上記情報は第２記憶エリア１１２に記録される（ステップＳＡ６０）。
【００５６】
図３は、上記したような、異常状態の発生に基づいて実行された保護機能を特定する情報の、記憶部１１０における記録態様を模式的に示す図である。
【００５７】
図３を参照して、記憶部１１０の第１記憶エリアには、「故障Ｂ」「故障Ａ」「故障Ｄ」「故障Ｃ」という、４種類の、故障の発生に応じて実行された保護機能を特定するための情報が記録されている。
【００５８】
第２記憶エリア１１２には、「不具合ａ」「不具合ｄ」「不具合ｅ」「不具合ｃ」「不具合ｂ」という５種類の、不具合の発生に基づいて実行された保護機能を特定する情報が記録されている。第１記憶エリア１１１と第２記憶エリア１１２に記録されたそれぞれの情報には、１〜９の数字が付されている。各数字は、故障または不具合の発生が新しい順番に付されている。つまり、第１記憶エリア１１１に記録された４つの情報に対応する故障と第２記憶エリアに記録された５つの情報に対応する不具合とを合わせた９回の異常状態の発生の中で、故障Ｂに対応する異常状態が最も後に発生し、故障Ｃに対応する異常状態が最も前に発生していることになる。
【００５９】
なお、第１記憶エリア１１１や第２記憶エリア１１２では、各保護機能を特定する情報は、上記したような１〜９のような順序ではなく、または、順序とともに、保護機能が実行された時刻とともに記録されても良い。
【００６０】
なお、以上説明した室内機側異常管理処理では、故障に基づいて実行された保護機能を特定する情報と不具合に基づいて実行された保護機能を特定する情報とが、記憶部１１０の異なるエリアに記録されたが、これらの情報は、必ずしも異なるエリアに記録される必要はない。タグを付する等の、互いに区別できる態様で記録されていれば、記憶エリアを区別される必要はない。
【００６１】
また、以上説明した室内機側異常管理処理では、これらの情報が「故障」と「不具合」にグループ分けされるように、記憶されるエリアを区別されて記録されたが、必ずしもこれらの情報は、記録される時点でグループ分けをされる必要はない。つまり、少なくとも、各保護機能が実行された際に個々の保護機能を特定する情報（保護機能ごとに付された名称等）が記録され、そして、データ記憶エリア１１３等において、各保護機能が「故障」に分類されるべきか「不具合」に分類されるべきかの情報が記憶されていれば良い。これにより、室内機制御部１０１は、実行されたことを記録された各保護機能が「故障」と「不具合」のいずれに分類されるものであるかを認識することができる。
【００６２】
［室外機側異常管理処理］
図４は、室内機制御部１０１が、室外機２００における異常状態の発生を管理し、かつ、異常状態が発生したときに対応する保護機能を実行するための処理である室外機側異常管理処理のフローチャートである。室内機制御部１０１は、上記した室内の温度調整のための制御動作と平行して、図２を参照して説明した室内機側異常管理処理とともに、図４を参照して説明する室外機側異常管理処理を実行する。
【００６３】
図４を参照して、室外機側異常管理処理では、室内機制御部１０１は、まずステップＳＢ１０で、室外機制御部２０１に対して、ファン駆動部２０３およびコンプレッサ駆動部２０５から受信した各種のデータを転送するよう要求し、そして、これらのデータを受信して、ステップＳＢ２０へ処理を進める。
【００６４】
ステップＳＢ２０では、室内機制御部１０１は、ステップＳＢ１０で転送要求したデータと、データ記憶エリア１１３に記憶された室外機２００における各要素の異常の有無の判定基準となる情報とに基づいて、室外機２００において何らかの異常状態が発生しているか否かを判断し、発生していないと判断するとステップＳＢ１０へ処理を戻し、発生していると判断するとステップＳＢ３０へ処理を進める。なお、ステップＳＢ３０〜ステップＳＢ１１０の処理内容は、図２を参照して説明したステップＳＡ３０〜ステップＳＡ１１０と同様の処理内容となっている。
【００６５】
つまり、まず、ステップＳＢ３０では、室内機制御部１０１は、上記した温度調整のための動作を停止させるように関係する要素に制御信号を出力して、ステップＳＢ４０へ処理を進める。ただし、室内機制御部１０１は、データ記憶エリア１１３に記憶された情報に基づいて、ステップＳＢ２０で発生したと判断した異常状態には温度調整のための動作の停止が不要であると判断した場合には、ステップＳＢ３０において、当該動作を停止させなくても良い。そして、当該動作を停止させなかった場合には、後述するステップＳＢ８０における当該動作の再開の処理も不要となる。
【００６６】
ステップＳＢ４０では、室内機制御部１０１は、ステップＳＢ２０で発生していると判断した異常状態に対応する保護機能（制御内容）の実行を開始して、ステップＳＢ５０へ処理を進める。データ記憶エリア１１３には、各異常状態が発生した場合に実行されるべき制御内容に対応したプログラムが記憶されているものとし、室内機制御部１０１は、当該プログラムを実行することにより保護機能を実行する。また、この場合、室内機制御部１０１は、必要に応じて、室外機制御部２０１に、保護機能の実行に必要な動作を実行させる。
【００６７】
ステップＳＢ５０では、室内機制御部１０１は、ステップＳＢ２０で発生したと判断した異常状態が、故障に該当するものであるか不具合に該当するものであるかを判断し、故障に該当すると判断するとステップＳＢ９０へ処理を進め、不具合に該当すると判断するとステップＳＢ６０へ処理を進める。
【００６８】
ステップＳＢ６０では、室内機制御部１０１は、ステップＳＢ４０で実行を開始した保護機能を特定する情報を第２記憶エリア１１２に記録して、ステップＳＢ７０へ処理を進める。
【００６９】
ステップＳＢ７０では、室内機制御部１０１は、ステップＳＢ４０で実行を開始した保護機能が完了したか否かを判断し、完了するまで待機し、そして、完了したと判断するとステップＳＢ８０へ処理を進める。
【００７０】
ステップＳＢ８０では、室内機制御部１０１は、ステップＳＢ３０で停止させた温度調整動作の運転を再開させて、ステップＳＢ１０へ処理を戻す。
【００７１】
一方、ステップＳＢ９０では、室内機制御部１０１は、ブザー１４０によるブザー音やＬＥＤ１０９の点灯などにより、故障が生じていることを報知して、ステップＳＢ１００へ処理を進める。
【００７２】
ステップＳＢ１００では、室内機制御部１０１は、ステップＳＢ４０で実行を開始した保護機能を特定する情報を第１記憶エリア１１１に記録して、ステップＳＢ１１０へ処理を進める。
【００７３】
ステップＳＢ１１０では、室内機制御部１０１は、ステップＳＢ４０で実行を開始した保護機能が完了するまで待機し、完了したと判断すると、室外機側異常管理処理を終了させる。なお、室内機制御部１０１は、室外機側異常管理処理を終了させるときに、ステップＳＢ９０で実行した報知動作を継続させていてもよいし、終了させてもよい。
【００７４】
以上説明した室外機側異常管理処理では、故障に基づいて実行された保護機能を特定する情報と不具合に基づいて実行された保護機能を特定する情報とは、タグを付する等の互いに区別できる態様で記録されていれば、記憶エリアを区別される必要はない。また、これらの情報は、少なくとも各保護機能が実行された際に個々の保護機能を特定する情報が記録され、そして、データ記憶エリア１１３等において各保護機能が「故障」に分類されるべきか「不具合」に分類されるべきかの情報が記憶されば、記録されるときに「故障」と「不具合」にグループ分けされる必要はない。
【００７５】
［異常発生情報表示処理］
エアコン１では、リモコン１３０などを適宜操作されることにより、記憶部１１０に記憶された、エアコン１で実行された保護機能の履歴情報をリモコン１３０などに搭載された表示部に表示させることができる。図５は、このような履歴情報をリモコン１３０などの表示部に表示させるために、室内機制御部１０１が実行する処理（異常発生情報表示処理）のフローチャートである。以下、図５を参照して、当該処理の内容について説明する。
【００７６】
室内機制御部１０１は、リモコン１３０に対して所定の操作がなされると、異常発生情報表示処理を開始させる。図５を参照して、異常発生情報表示処理では、室内機制御部１０１は、まずステップＳ１０で、表示の対象となる履歴情報の種類を特定する情報（表示対象情報）の入力を待つ。なお、ここでは、リモコン１３０の表示部に、表示対象情報の入力を促すメッセージなどを表示してもよい。そして、表示対象情報が入力されると、室内機制御部１０１は、ステップＳ２０へ処理を進める。
【００７７】
ステップＳ２０では、室内機制御部１０１は、入力された情報をチェックし、故障についての保護機能の実行履歴を特定する情報が入力されたと判断するとステップＳ３０へ処理を進め、不具合に対応する保護機能の実行履歴を特定する情報が入力されたと判断するとステップＳ４０へ処理を進め、故障と不具合の双方に対応する保護機能の実行履歴を特定するための情報が入力されたと判断するとステップＳ５０へ処理を進める。
【００７８】
ステップＳ３０では、室内機制御部１０１は、第１記憶エリア１１１に記録された、保護機能の実行履歴（図３の「故障Ｂ」「故障Ａ」「故障Ｄ」「故障Ｃ」）を読出して、ステップＳ６０へ処理を進める。
【００７９】
ステップＳ４０では、室内機制御部１０１は、第２記憶エリア１１２から、記録されている保護機能の実行履歴（図３の「不具合ａ」「不具合ｄ」「不具合ｅ」「不具合ｃ」「不具合ｂ」）を読出して、ステップＳ６０へ処理を進める。
【００８０】
ステップＳ５０では、第１記憶エリア１１１と第２記憶エリア１１２の双方に記録された保護機能の実行履歴を読出して、ステップＳ６０へ処理を進める。
【００８１】
ステップＳ６０では、室内機制御部１０１は、ステップＳ３０〜ステップＳ５０のいずれかで読出した実行履歴をリモコン１３０の表示部に表示させて、ステップＳ７０へ処理を進める。
【００８２】
ここで、ステップＳ３０で読出された実行履歴の表示画面の一例を図６（Ａ）に示し、ステップＳ４０で読出された実行履歴の表示画面の一例を図６（Ｂ）に示し、そして、ステップＳ５０で読出された実行履歴の表示画面の一例を図６（Ｃ）に示す。
【００８３】
以上説明した異常発生情報表示処理では、「故障」に対応する保護機能を特定する情報と「不具合」に対応する保護機能を特定する情報とが記憶部１１０内の異なるエリアに記録されているため、室内機制御部１０１は、ステップＳ３０〜ステップＳ５０で、入力された情報に基づいて、保護機能の実行履歴を読出すエリアを選択している。なお、「故障」に対応する保護機能を特定する情報と「不具合」に対応する保護機能を特定する情報とが同じエリアに記録されている場合には、ステップＳ３０〜ステップＳ５０では、読出すエリアを選択するのではなく、入力された情報に基づいて、「故障」に対応する実行履歴および／または「不具合」に対応する実行履歴を適宜抽出して、ステップＳ６０で表示させる。
【００８４】
また、以上説明した本実施の形態では、図６（Ａ）〜図６（Ｃ）を参照して説明したように、故障に対応する保護機能の実行履歴および／または不具合に対応する保護機能の実行履歴は、一覧表示されていたが、これらは、個々に表示されても良い。つまり、エアコン１は、まず、実行履歴を表示する保護機能の種類（故障か、不具合か、双方か）の入力を受け付け、その後、指定された種類の保護機能について、実行履歴を、１つずつ順に表示するように構成されても良い。表示される順序は、発生した順でも良いし、最も新しく発生した故障から遡る順であっても良い。
【００８５】
また、このような実行履歴の表示は、リモコン１３０の表示部において行なわれても良いし、室内機１００の本体に、ＬＥＤ１０９として、図８に示されるような室内温度表示用の７セグメントＬＥＤを備えさせ、当該７セグメントＬＥＤを利用して行なわれても良い。具体的には、上記保護機能の実行履歴の表示は、上記７セグメントＬＥＤを利用して、各保護機能に対応するコードを表示することによって、行なわれても良い。
【００８６】
ここで、保護機能の実行履歴の表示に関し、「故障」と「不具合」のいずれを表示させるか、または、従来のように双方の履歴を発生した順に混在して表示させるかについて、エアコン１では、作業員が予め設定でき、そして、当該設定内容に従って実行履歴の表示がなされるようにしても良い。
【００８７】
また、「故障」と「不具合」のいずれか一方の実行履歴が１つずつ順に表示された後で他方の実行履歴が１つずつ順に表示される場合、「故障」と「不具合」とで、実行履歴が、色を異ならせる等、異なる態様で表示されるようにしても良い。
【００８８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８９】
【図１】本発明の空気調和機の一実施の形態であるエアコンの機能ブロック図である。
【図２】図１の室内機制御部が実行する室内機側異常管理処理のフローチャートである。
【図３】図１の第１記憶エリアと第２記憶エリアにおける保護機能の実行履歴の記録態様を模式的に示す図である。
【図４】図１の室内機制御部が実行する室外機側異常管理処理のフローチャートである。
【図５】図１の室内機制御部が実行する異常発生情報表示処理のフローチャートである。
【図６】図５の異常発生情報表示処理において、図１のリモコンの表示部に表示される画面の一例を示す図である。
【図７】従来の空気調和機において記憶される、発生した異常の履歴情報の記憶態様の一例を模式的に示す図である。
【図８】一般的な空気調和機の室内機における履歴情報の表示態様を説明するための図である。
【図９】一般的な空気調和機の室内機における履歴情報の表示態様を説明するための図である。
【図１０】一般的な空気調和機の室内機における履歴情報の表示態様を説明するための図である。
【符号の説明】
【００９０】
１  エアコン、１００  室内機、１０１  室内機制御部、１０２，２０２  電源制御部、１０３，２０３  ファン駆動部、１０４，２０４  ファンモータ、１０５  フリップ駆動部、１０６  フリップモータ、１０７，２０７  通信制御部、１０８  ＬＥＤ制御部、１０９  ＬＥＤ、１１０  記憶部、１１１  第１記憶エリア、１１２  第２記憶エリア、１１３  データ記憶エリア、１２０  センサ、１３０  リモコン、１４０  ブザー、１５１  ヒータ駆動部、１５２  ヒータ、２００  室外機、２０１  室外機制御部、２０５  コンプレッサ駆動部、２０６  コンプレッサ。
【図１】
2010101519.tif 000003
【図２】
2010101519.tif 000004
【図３】
2010101519.tif 000005
【図４】
2010101519.tif 000006
【図５】
2010101519.tif 000007
【図６】
2010101519.tif 000008
【図７】
2010101519.tif 000009
【図８】
2010101519.tif 000010
【図９】
2010101519.tif 000011
【図１０】
2010101519.tif 000012